(57)【要約】  インフレータからのガス圧の局所的な集中を防ぎ、基布の損傷を防ぐことが可能なエアバッグ装置を提供することを目的とする。  カーテンエアバッグ（１００）は、基布を用いて袋状に形成されたクッション（１０２）と、クッション（１０２）に挿入され、クッション（１０２）に膨張展開用のガスを供給するインフレータ（１０６）と、クッション（１０２）の内部にてインフレータ（１０６）の周囲に設けられる第１補強布（１４２）と、第１補強布（１４２）から突出してインフレータ（１０６）とクッション（１０２）との間に間隙（Ｅ１）を形成する突起部（１４８、１５０）と、を備えることを特徴とする。
2016088598.tif 000002
【特許請求の範囲】
【請求項１】
基布を用いて袋状に形成されたクッションと、  前記クッションに挿入され、該クッションに膨張展開用のガスを供給するインフレータと、  前記クッションの内部にて前記インフレータの周囲に設けられる補強布と、  前記補強布から突出して前記インフレータと前記クッションとの間に間隙を形成する突起部と、を備えることを特徴とするエアバッグ装置。
【請求項２】
前記突起部は、前記補強布の表面に設けられ、前記インフレータに接触することで該インフレータとの間に前記間隙を形成することを特徴とする請求項１に記載のエアバッグ装置。
【請求項３】
当該エアバッグ装置はさらに、前記突起部を設けた補強布を覆う他の補強布を備えることを特徴とする請求項１に記載のエアバッグ装置。
【請求項４】
前記突起部は、前記補強布の一部を寄り合わせて接合することで設けられることを特徴とする請求項１から３のいずれか１項に記載のエアバッグ装置。
【請求項５】
前記接合は、縫製であることを特徴とする請求項４に記載のエアバッグ装置。
【請求項６】
前記接合は、接着または熱溶着であることを特徴とする請求項４に記載のエアバッグ装置。
【請求項７】
前記インフレータは、円筒形状であって、  前記突起部は、前記インフレータの長手方向に間隔をおいた複数個所に設けられることを特徴とする請求項１から６のいずれか１項に記載のエアバッグ装置。
【請求項８】
前記突起部は、前記インフレータの周方向に延びていることを特徴とする請求項７に記載のエアバッグ装置。
【請求項９】
前記複数の突起部は、それぞれ所定方向に延びていて互いに交差することを特徴とする請求項１から７のいずれか１項に記載のエアバッグ装置。
【請求項１０】
前記突起部は、線状であって少なくとも前記インフレータのガス排出孔の両脇それぞれに設けられることを特徴とする請求項１から８のいずれか１項に記載のエアバッグ装置。
【請求項１１】
前記補強布は、前記インフレータのガス排出孔の周囲に設けられることを特徴とする請求項１から１０のいずれか１項に記載のエアバッグ装置。
【請求項１２】
当該エアバッグ装置はさらに、  前記クッションの内部に設けられて前記インフレータからのガスを整流するディフューザを備え、  前記補強布は、前記ディフューザの内側に設けられることを特徴とする請求項１から１１のいずれか１項に記載のエアバッグ装置。
【請求項１３】
当該エアバッグ装置はさらに、  前記クッションの内部に設けられて前記インフレータからのガスを所定方向へ案内するガスガイドを有し、  前記補強布は、前記ガスガイドの内側に設けられることを特徴とする請求項１から１１のいずれか１項に記載のエアバッグ装置。
【請求項１４】
前記クッションは、車室内の側部を覆うカーテンエアバッグ用のものであって、  当該エアバッグ装置はさらに、  前記クッションの上縁の所定箇所に上方へ突出するよう設けられ、前記インフレータが挿入されて取り付けられるインフレータ取付部を備え、  前記補強布は、前記インフレータ取付部の内側に設けられることを特徴とする請求項１から１１のいずれか１項に記載のエアバッグ装置。
【発明の詳細な説明】
【技術分野】
【０００１】  本発明は、インフレータおよび基布を用いて袋状に形成されてインフレータからガスを受けて膨張展開するクッションを含むエアバッグ装置に関するものである。
【背景技術】
【０００２】  近年の車両にはエアバッグ装置がほぼ標準装備されている。エアバッグ装置は、車両衝突などの緊急時に作動する安全装置であって、ガス圧でクッションを膨張展開させ、乗員を受け止めて保護する。エアバッグ装置には、設置箇所や用途に応じて様々な種類がある。例えば、主に前後方向からの衝突から運転席の乗員を守るために、ステアリングの中央にはフロントエアバッグが設けられている。また、側面衝突やそれに続いて起こるロールオーバ（横転）から各座席の乗員を守るために、壁部の天井付近にはサイドウィンドウに沿って膨張展開するカーテンエアバッグが設けられ、座席の側部には乗員のすぐ脇へ膨張展開するサイドエアバッグが設けられている。【０００３】  エアバッグ装置は、インフレータと呼ばれるガス発生装置を利用して、クッションを膨張展開させて乗員を拘束する。インフレータからのガスの噴出は極めて迅速であり、クッションの内圧は瞬時に増大する。例えば、特許文献１に記載のエアバッグ装置には、円筒形状のインフレータ５が使用されている。インフレータ５は、エアバッグに設けられた筒状のガス導入部３に挿入され、外側から樹脂帯１１を巻き締めて取り付けられている。
【先行技術文献】
【特許文献】
【０００４】
【特許文献１】特開２０１４−１２４９６５号公報
【発明の概要】
【発明が解決しようとする課題】
【０００５】  インフレータのガス噴出孔からは、高圧のガスが噴出する。特に、内部にてガス発生剤が燃焼するいわゆるパイロテクニクス系のインフレータでは、ガスは高温高圧になる。そのため、特許文献１に記載のインフレータとクッションの基布とが密着するような構成では、ガスの噴出による負荷が局所的に集中し、基布が損傷したり破裂（バースト）したりするおそれがある。【０００６】  本発明は、このような課題に鑑み、インフレータからのガス圧の局所的な集中を防ぎ、基布の損傷を防ぐことが可能なエアバッグ装置を提供することを目的としている。
【課題を解決するための手段】
【０００７】  上記課題を解決するために、本発明にかかるエアバッグ装置の代表的な構成は、基布を用いて袋状に形成されたクッションと、クッションに挿入され、クッションに膨張展開用のガスを供給するインフレータと、クッションの内部にてインフレータの周囲に設けられる補強布と、補強布から突出してインフレータとクッションとの間に間隙を形成する突起部と、を備えることを特徴とする。【０００８】  上記構成によれば、インフレータとクッションの内面とが密着することを防止できる。したがって、インフレータから噴出するガスの圧力が、補強布およびクッションの基布に対して局所的に集中することを防ぎ、これら基布等の損傷やバーストを防止できる。【０００９】  上記の突起部は、補強布の表面に設けられ、インフレータに接触することでインフレータとの間に間隙を形成してもよい。この構成によって、インフレータとクッションの内面との間に間隙を効率よく形成することが可能になる。【００１０】  当該エアバッグ装置はさらに、突起部を設けた補強布を覆う他の補強布を備えてもよい。突起部を他の補強布で覆い、他の補強布ごと突出した形状を形成することによっても、インフレータとクッションとの間に間隙を形成することが可能である。【００１１】  上記の突起部は、補強布の一部を寄り合わせて接合することで設けられてもよい。このときの接合は、縫製であってもよい。また接合は、接着または熱溶着であってもよい。これら構成によって、突起部を簡潔な構造で実現することができる。【００１２】  上記のインフレータは、円筒形状であって、突起部は、インフレータの長手方向に間隔をおいた複数個所に設けられてもよい。この構成の突起部によって、インフレータと補強布の内面との間に効率よく間隙を形成することができる。【００１３】  上記の突起部は、インフレータの周方向に延びていてもよい。また複数の突起部は、それぞれ所定方向に延びていて互いに交差してもよい。これら構成の突起部によっても、インフレータと補強布の内面との間に効率よく間隙を形成することができる。【００１４】  上記の突起部は、線状であって少なくともインフレータのガス排出孔の両脇それぞれに設けられてもよい。線状の突起部をインフレータのガス排出孔の両脇にガス排出孔を挟むように接触させることで、インフレータと補強布の内面との間に間隙を効率よく形成することが可能になる。【００１５】  上記の補強布は、インフレータのガス排出孔の周囲に設けられてもよい。この構成によって、クッションの基布をガスの圧力から効率よく保護することができる。【００１６】  当該エアバッグ装置はさらに、クッションの内部に設けられてインフレータからのガスを整流するディフューザを備え、補強布は、ディフューザの内側に設けられてもよい。この構成によっても、インフレータと補強布の内面との間に間隙を形成し、インフレータのガス圧が局所的に集中することを防止できる。【００１７】  当該エアバッグ装置はさらに、クッションの内部に設けられてインフレータからのガスを所定方向へ案内するガスガイドを有し、補強布は、ガスガイドの内側に設けられてもよい。この構成によっても、インフレータと補強布の内面との間に間隙を形成し、イン��レータのガス圧が局所的に集中することを防止できる。【００１８】  上記のクッションは、車室内の側部を覆うカーテンエアバッグ用のものであって、当該エアバッグ装置はさらにクッションの上縁の所定箇所に上方へ突出するよう設けられ、インフレータが挿入されて取り付けられるインフレータ取付部を備え、補強布は、インフレータ取付部の内側に設けられてもよい。この構成によっても、インフレータと補強布の内面との間に間隙を形成し、インフレータのガス圧が局所的に集中することを防止できる。
【発明の効果】
【００１９】  本発明によれば、インフレータからのガス圧の局所的な集中を防ぎ、基布の損傷を防ぐことが可能なエアバッグ装置を実現することができる。
【図面の簡単な説明】
【００２０】
【図１】本発明の実施形態にかかるエアバッグ装置を例示した図である。
【図２】図１（ｂ）のクッションを単独で例示した図である。
【図３】図２のガスガイドを拡大して例示する図である。
【図４】図２のガスガイドの内部構造を例示した図である。
【図５】図４（ａ）の第１補強布の斜視図である。
【図６】図４のガスガイドの詳細な構成を例示した図である。
【図７】図６（ｂ）のガスガイドの変形例を例示した図である。
【図８】図４の第１補強布の設置場所の第１変形例を例示した図である。
【図９】図４の第１補強布の設置個所の第２変形例を例示した図である。
【図１０】図６（ａ）に例示した突起部の変形例を例示した図である。
【符号の説明】
【００２１】Ｅ１…間隙、Ｌ１…中央線、１００…カーテンエアバッグ、１０２…クッション、１０４…ルーフサイドレール、１０５…フロントピラー、１０６…インフレータ、１０７…ガス排出孔、１０８…車両、１１２…前部座席、１１６…フロントディレーチャンバ、１１８…後部座席、１２０…リアメインチャンバ、１２２…区画部、１２６…クッションの上縁、１２８…タブ、１３０…ストラップ、１３２…インフレータ取付部、１３４…ダクト部、１３６…ガスガイド、１３７…ガスガイドの基布、１３８…ガスガイドの上側部分、１４０…ガスガイドの下側部分、１４２…第１補強布、１４３…第１補強布の内面、１４４、１４６…縫製ライン、１４８、１５０…突起部、１５２、１５４…縫製、１５６…第２補強布、１５８…第３補強布、１６０、１６２…縫製ライン、１６４…ガスガイドの基布の斜辺、１６６…ガスガイドの基布の下辺、１７０…ディフューザ、１８０、１８２…交差した突起部、２００…変形例のガスガイド、２０２…第４補強布
【発明を実施するための形態】
【００２２】  以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２３】  図１は、本発明の実施形態にかかるエアバッグ装置を例示した図である。本実施形態の一例では、本発明にかかるエアバッグ装置を、カーテンエアバッグ１００として具現化している。図１（ａ）は車両室内を車幅方向の車内側から見た図であって、カーテンエアバッグ１００のクッション１０２の収納形態を例示している。本実施形態では、カーテンエアバッグ１００は、車体の右側壁用として実施されている。クッション１０２は緊急時に膨張展開して乗員を保護する部位であって、図１（ｂ）ではこのクッション１０２の膨張展開時を例示している。なお、本願において「上」と表現する場合は注目箇所から見て車両天井方向を示し、「下」と表現する場合は注目箇所から見て車両床方向を示す。
【００２４】  図１（ａ）に例示するように、クッション１０２は、巻回されて車両前後に長尺なロール状の収納形態となって、車体の側壁の上部（ルーフサイドレール１０４）に搭載される。通常、ルーフサイドレール１０４はルーフトリム（図示省略）で覆われる。すなわちクッション１０２は、ルーフサイドレール１０４とルーフトリムとの間の空間に収納されていて、乗員のいる車室内からは視認不能である。よって本文中に「車室内からクッション１０２を見る」なる説明があっても、本来車室内から視認不能なクッション１０２を、ルーフトリムを図示省略して可視化していることに留意されたい。なお、クッション１０２の収納形態は、蛇腹状の折り畳みによっても実現することができる。
【００２５】  カーテンエアバッグ１００はガス発生装置であるインフレータ１０６をクッション１０２の上部に備えていて、クッション１０２はインフレータ１０６から供給されるガスの圧力によって膨張して乗員を拘束する。本実施形態で採用しているインフレータ１０６は、シリンダ型であって、長手の円筒形状を成している。現在普及しているインフレータには、ガス発生剤が充填されていてこれを燃焼させてガスを発生させるタイプや、圧縮ガスが充填されていて熱を発生させることなくガスを供給するタイプ、さらにはガス発生剤と圧縮ガスとを両方備えたタイプのものなどがある。インフレータ１０６としては、いずれのタイプも利用可能である。
【００２６】  図１（ｂ）は、図１（ａ）のクッション１０２の膨張展開後の様子を例示した図である。車両１０８に側面衝突時やロールオーバ（横転）等が発生すると、まず車両１０８に備えられたセンサ（図示省略）が衝撃を感知し、これに起因してインフレータ１０６へ信号が発信される。この信号を受けることでインフレータ１０６は作動し、ガスをクッション１０２へ供給する。クッション１０２は、インフレータ１０６からのガスを受給すると、車体の側壁（図１（ａ）のサイドウィンドウ１１０等）に沿うように下方へ向かって膨張展開し、乗員を拘束する。
【００２７】  図２は、図１（ｂ）のクッション１０２を単独で例示した図である。クッション１０２は、カーテンエアバッグ用のものとして、車室内の側面に沿って拡がることのできる大きな形状となっている。クッション１０２は、その表面を構成する２枚の基布を重ねて縫製や接着することや、ＯＰＷ（One-Piece Woven）を用いての紡織などによって袋状に形成されている。
【００２８】  クッション１０２の膨張領域は、乗員が接触し得る位置などを考慮して、複数のチャンバに区画されている。例えば、車両前側には、前部座席１１２（図１（ｂ）参照）の乗員を保護することを目的としてフロントメインチャンバ１１４およびフロントディレーチャンバ１１６が設けられている。フロントディレーチャンバ１１６は、隣接するフロントメインチャンバ１１４を経由してガスを受給するため、フロントメインチャンバ１１４の後に膨張展開が完了する。車両後側には、後部座席１１８の乗員を保護するよう、リアメインチャンバ１２０等が設けられている。これら各チャンバの間には線状の非膨張領域である区画部１２２等が設けられ、各チャンバは区画部１２２によって区画されている。
【００２９】  車両１０８への取付部位として、クッション１０２の上縁１２６付近にはタブ１２８が複数設けられている。タブ１２８は帯状であって、ボルト等を使用して、ルーフサイドレール１０４に取り付けられる。また、クッション１０２の前端には、紐状のストラップ１３０が設けられている。ストラップ１３０は、クッション１０２をフロントピラー１０５につなぐ部材であって、クッション１０２の膨張展開時の揺動を抑えて展開挙動を安定させ、加えてクッション１０２に車両前後方向への張力を与える働きを有している。
【００３０】  クッション１０２の上部中央付近には、インフレータ取付部１３２が設けられている。インフレータ取付部１３２は、周囲の上縁１２６よりも上方に突出して設けられていて、インフレータ１０６（図１（ｂ）参照）がその長手方向を車両前後方向に向け、車両後方から挿し込まれて取り付けられる。インフレータ取付部１３２は、その下方のダクト部１３４に通じていて、インフレータ１０６からのガスをダクト部１３４へと送る。ダクト部１３４は、クッション１０２の上部側にて車両前後方向に延びていて、ガスをクッション１０２の車両前側および車両後側へと導く。
【００３１】  図２中に破線で例示するように、インフレータ取付部１３２の内部にはガスガイド１３６が設けられている。ガスガイド１３６は、インフレータ１０６が挿入されてインフレータ１０６からのガスを最初に受ける部位であり、インフレータ１０６からのガスを所定方向へ案内する機能、およびインフレータ取付部１３２付近をガスから保護する機能等を有している。
【００３２】  図３は、図２のガスガイド１３６を拡大して例示する図である。図３（a）は、ガスガイド１３６を単独で例示した斜視図である。図３（a）に例示するように、ガスガイド１３６は、インフレータ１０６を挿入する上側部分１３８と、上側部分１３８からガスを受けてガスを車両前後方向に導く下側部分１４０とを含んで構成されている。図３（ｂ）は、図２のガスガイド１３６のＡ−Ａ断面図である。Ａ−Ａ断面は、クッション１０２のインフレータ取付部１３２およびその内部のガスガイド１３６を縦に切断した断面である。図３（ｂ）に例示するように、ガスガイド１３６の上側部分１３８および下側部分１４０は、共に管状になっている。このガスガイド１３６をインフレータ取付部１３２の内部に設けることで、インフレータ取付部１３２付近の耐圧性や耐熱性等を向上させることができる。
【００３３】  図４は、図２のガスガイド１３６の内部構造を例示した図である。図４（ａ）では、図２と同じく車内側からガスガイド１３６を見て、ガスガイド１３６の内部構造を例示している。本実施形態では、ガスガイド１３６の内部には、ガスによる負荷を抑えるために、補強布（第１補強布１４２）を設置している。
【００３４】  本実施形態では、第１補強布１４２は、基布を複数回折り畳むこと等によって強度を高めた構造として実現している。第１補強布１４２は、インフレータ１０６の先端側のガス排出孔１０７の周囲に、縫製ライン１４４、１４６によってガスガイド１３６に縫製されている。第１補強布１４２をこのように限られた範囲にのみ設けることは、クッション１０２の基布をガスの圧力から効率よく保護できることに加え、材料となる生地の使用枚数を減らすことができるためコストの面でも有益である。
【００３５】  さらに、第１補強布１４２の内面には、２カ所に突起部１４８、１５０が設けられている。図４（ｂ）は、図４（ａ）のガスガイドのＢ−Ｂ断面図である。図４（ｂ）に例示するように、突起部１４８、１５０は、インフレータ１０６に向かって突出し、インフレータ１０６に接触する。突起部１４８、１５０は、インフレータ１０６と第１補強布１４２の内面１４３との間に間隙Ｅ１（中空層）を形成する。この間隙Ｅ１を形成することで、当該カーテンエアバッグ１００では、インフレータ１０６と第１補強布１４２の内面１４３とが密着することを防止し、そしてクッション１０２のインフレータ取付部１３２（図３（ｂ））の基布までの距離を確保している。この構成によって、インフレータ１０６から噴出するガスの圧力が第１補強布１４２およびインフレータ取付部１３２の基布に対して局所的に集中することを防ぎ、これら基布等の損傷、バーストおよび溶融などの不具合を防止可能になっている。
【００３６】  突起部１４８、１５０は、インフレータ１０６の長手方向に間隔をおいた２個所に設けられている。また、図４（ａ）に例示したように、突起部１４８、１５０は、インフレータ１０６の周方向に延びるよう設けている。この構成の突起部１４８、１５０によって、インフレータ１０６の長手方向にわたって、インフレータ１０６を効率よく支えてインフレータ１０６から第１補強布１４２およびインフレータ取付部１３２（図３（ｂ）参照）までの距離を安定的に確保している。しかしながら、設置する突起部の数や設ける方向に制限はない。さらに複数の突起部を設けることによって、インフレータ１０６をより安定して支え、インフレータ１０６と第１補強布１４２の内面１４３との間に効率よく間隙を形成することも可能である。また複数の突起部を互いに異なる方向へ延びるよう設けることも可能である。
【００３７】  図４（ａ）に例示するように、本実施形態では、突起部１４８、１５０は線状であって、少なくともインフレータ１０６のガス排出孔１０７の両脇それぞれにガス排出孔１０７を挟むように、そしてインフレータ１０６の長手方向にほぼ直交する方向へ延びるように設けられている。これによって、図４（ｂ）に例示するように、線状の突起部１４８、１５０をインフレータ１０６のガス排出孔１０７の両脇に接触させ、インフレータ１０６と第１補強布１４２の内面１４３との間に間隙Ｅ１を効率よく形成することが可能になっている。
【００３８】  図５は、図４（ａ）の第１補強布１４２の斜視図である。第１補強布１４２は、基布を複数回折り畳むことによって形成されている。そして、突起部１４８、１５０は、第１補強布１４２の基布の一部を寄り合わせて接合することで設けられている。例えば本実施形態では、基布の一部を寄り合わせ、縫製１５２、１５４を施すことで突起部１４８、１５０を設けている。このように、突起部１４８、１５０は、簡潔な構成で実現されている。その他、突起部１４８、１５０は、基布を接着または熱溶着によって接合することでも実現可能である。接着または熱溶着による接合も、接着剤の塗布や加熱等の処理によって突起部１４８、１５０を簡潔に形成させることができる。
【００３９】  図６は、図４のガスガイド１３６の詳細な構成を例示した図である。図６（ａ）は、ガスガイド１３６を開いた状態で例示した図である。ガスガイド１３６は、一片の基布１３７の内側に第１補強布１４２等の複数の布材を設置し、中央線Ｌ１で折って斜辺１６４および下辺１６６を縫製することで形成されている。
【００４０】  図６（ｂ）は、図６（ａ）のガスガイド１３６の分解図である。図６（ｂ）に例示するように、基布１３７には、表面に設けられた第１補強布１４２の他にも、その下に第２補強布１５６および第３補強布１５８が設置される。第３補強布１５８は、基布１３７の車幅方向の全体にわたる、比較的大きな補強布である。第２補強布１５６は、第３補強布１５８と第１補強布１４２との間に設置される、第１補強布１４２と同じ程度の大きさの補強布である。
【００４１】  図６（ｃ）は、図６（ａ）のＣ−Ｃ断面図である。図６（ｃ）に例示するように、第３補強布１５８は縫製ライン１６０、１６２と縫製ライン１４４、１４６によって基布１３７に縫製される。図６（ｃ）中には現れていないものの、第２補強布１５６もまた縫製によって基布１３７に接合される。これら第１補強布１４２に加えて複数の補強布を利用することで、ガスガイド１３６の耐熱性および耐圧性がさらに向上し、高温高圧のガスに対する耐久性が向上し、ガスガイド１３６およびクッション１０２の基布の損傷等をより十全に防ぐことが可能になる。また、突起部１４８、１５０を有する第１補強布１４２の下に第２補強布１５６および第３補強布１５８を配置することで、全体としての生地の厚みを確保し、縫製作業を行いやすくして製造性を向上させることにもつながる。
【００４２】（ガスガイドの変形例）  図７は、図６（ｂ）のガスガイド１３６の変形例を例示した図である。図７（ａ）に例示するガスガイド２００は、第１補強布１４２に対する他の補強布として、第１補強布１４２を覆う第４補強布２０２を備えている。図７（ｂ）は、図６（ｃ）に対応した、図７（ａ）のガスガイド２００の断面図である。図７（ｂ）に例示するように、第４補強布２０２は、第１補強布１４２を覆って、縫製ライン製１６０、１６２と縫製ライン１４４、１４６によって基布１３７に縫製される。したがって、第１補強布１４２は、第４補強布２０２によってガスとの直接的な接触から保護される。
【００４３】  第４補強布２０２は布材であり、第１補強布１４２の突起部１４８、１５０に沿って突出する。したがって、突起部１４８、１５０に沿って突出した第４補強布２０２でインフレータ１０６に接触することによっても、インフレータ１０６との間に間隙を形成することができる。これによって、ガスが各補強布や基布１３７などに局所的に集中することを防ぎ、これらのバーストおよび溶融などの不具合を防止することができる。
【００４４】  なお、図７（ｃ）に例示するように、第４補強布２０２は、第１補強布１４２の突起部１４８、１５０の間にて張っていて、第１補強布１４２との間に隙間が生じている場合もある。しかしながら、その場合においても、ガス圧を受けることで第４補強布２０２は突起部１４８、１５０の間に退避して、インフレータ１０６との間に間隙を形成することが可能である。
【００４５】（補強布の設置場所の変形例）  図８は、図４の第１補強布１４２の設置場所の第１変形例を例示した図である。図４では第１補強布１４２をガスガイド１３６に設置していたところ、図８では第１補強布１４２をクッション１０２のインフレータ取付部１３２の内側に直接設けている。この構成によっても、インフレータ１０６と第１補強布１４２の内面１４３との間に間隙Ｅ１（図４（ｂ）参照）を形成し、インフレータ１０６からインフレータ取付部１３２までの距離を確保することができる。そして、インフレータ１０６のガス圧が第１補強布１４２およびインフレータ取付部１３２の基布に対して局所的に集中することを防止し、これらの損傷等を防止することができる。
【００４６】  図９は、図４の第１補強布１４２の設置個所の第２変形例を例示した図である。図９（ａ）では、インフレータ１０６の周囲に筒状のディフューザ１７０を設けている。ディフューザ１７０は、インフレータ１０６からのガスを所定方向（例えば長手方向）に整流する整流部材であって、例えばサイドエアバッグなどで利用されている。第１補強布１４２は、このようなディフューザ１７０の内側に設けることも可能である。
【００４７】  図９（ｂ）は、図９（ａ）のディフューザ１７０のＤ−Ｄ断面図である。図９（ａ）に例示するように、ディフューザ１７０の内側に第１補強布１４２を設けることで、この第１補強布１４２の突起部１４８、１５０によって、インフレータ１０６に第１補強布１４２の内面１４３が接触しても、それらの間に間隙（中空層）を確保することができる。この構成によっても、インフレータ１０６からディフューザ１７０の基布までの距離を確保し、ガス圧の集中を防いで各基布の損傷等を防止することができる。
【００４８】  図１０は、図６（ａ）に例示した突起部１４８、１５０の変形例を例示した図である。図１０に例示する第１補強布１４２では、２つの突起部１８０、１８２がそれぞれ交差して設けられている。このように、複数の突起部は、それぞれ異なる方向に延びるよう設けてもよく、一部が交差していてもよい。これら構成の突起部１８０、１８２によっても、インフレータ１０６と第１補強布１４２の内面１４３との間に効率よく間隙Ｅ１（図４（ｂ）参照）を確保することができる。
【００４９】  以上、添付図面を参照しながら本発明の好適な実施例について説明したが、以上に述べた実施形態は、本発明の好ましい例であって、これ以外の実施態様も、各種の方法で実施または遂行できる。特に本願明細書中に限定される主旨の記載がない限り、この発明は、添付図面に示した詳細な部品の形状、大きさ、および構成配置等に制約されるものではない。また、本願明細書の中に用いられた表現および用語は、説明を目的としたもので、特に限定される主旨の記載がない限り、それに限定されるものではない。
【００５０】  したがって、当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５１】  本発明は、インフレータおよび基布を用いて袋状に形成されてインフレータからガスを受けて膨張展開するクッションを含むエアバッグ装置に利用することができる。
【図１】
2016088598.tif 000003
【図２】
2016088598.tif 000004
【図３】
2016088598.tif 000005
【図４】
2016088598.tif 000006
【図５】
2016088598.tif 000007
【図６】
2016088598.tif 000008
【図７】
2016088598.tif 000009
【図８】
2016088598.tif 000010
【図９】
2016088598.tif 000011
【図１０】
2016088598.tif 000012
【手続補正書】
【提出日】平成29年5月18日(2017.5.18)
【手続補正１】
【補正対象書類名】特許請求の範囲
【補正対象項目名】全文
【補正方法】変更
【補正の内容】
【特許請求の範囲】
【請求項１】
基布を用いて袋状に形成されたクッションと、
前記クッションに挿入され、該クッションに膨張展開用のガスを供給するインフレータと、
前記クッションの内部にて前記インフレータの周囲に設けられる補強布と、
前記補強布から突出して前記インフレータと前記クッションとの間に間隙を形成する突起部と、
前記突起部を設けた補強布を覆う他の補強布と、
を備えることを特徴とするエアバッグ装置。
【請求項２】
基布を用いて袋状に形成されたクッションと、
前記クッションに挿入され、該クッションに膨張展開用のガスを供給するインフレータと、
前記クッションの内部にて前記インフレータの周囲に設けられる補強布と、
前記補強布から突出して前記インフレータと前記クッションとの間に間隙を形成する突起部と、
を備え、
前記突起部は、線状であって少なくとも前記インフレータのガス排出孔の両脇それぞれに設けられることを特徴とするエアバッグ装置。
【請求項３】
当該エアバッグ装置はさらに、
前記クッションの内部に設けられて前記インフレータからのガスを所定方向へ案内するガスガイドを有し、
前記補強布は、前記ガスガイドの内側に設けられることを特徴とする請求項１または２に記載のエアバッグ装置。
【請求項４】
基布を用いて袋状に形成されたクッションと、
前記クッションに挿入され、該クッションに膨張展開用のガスを供給するインフレータと、
前記クッションの内部にて前記インフレータの周囲に設けられる補強布と、
前記補強布から突出して前記インフレータと前記クッションとの間に間隙を形成する突起部と、
前記クッションの内部に設けられて前記インフレータからのガスを整流するディフューザと、
を備え、
前記補強布は、前記ディフューザの内側に設けられることを特徴とするエアバッグ装置。
【請求項５】
前記突起部は、前記補強布の表面に設けられ、前記インフレータに接触することで該インフレータとの間に前記間隙を形成することを特徴とする請求項１から４のいずれか１項に記載のエアバッグ装置。
【請求項６】
前記突起部は、前記補強布の一部を寄り合わせて接合することで設けられることを特徴とする請求項１から５のいずれか１項に記載のエアバッグ装置。
【請求項７】
前記接合は、縫製であることを特徴とする請求項６に記載のエアバッグ装置。
【請求項８】
前記接合は、接着または熱溶着であることを特徴とする請求項６に記載のエアバッグ装置。
【請求項９】
前記インフレータは、円筒形状であって、
前記突起部は、前記インフレータの長手方向に間隔をおいた複数個所に設けられることを特徴とする請求項１から８のいずれか１項に記載のエアバッグ装置。
【請求項１０】
前記突起部は、前記インフレータの周方向に延びていることを特徴とする請求項９に記載のエアバッグ装置。
【請求項１１】
前記複数の突起部は、それぞれ所定方向に延びていて互いに交差することを特徴とする請求項１から１０のいずれか１項に記載のエアバッグ装置。
【請求項１２】
前記補強布は、前記インフレータのガス排出孔の周囲に設けられることを特徴とする請求項１から１１のいずれか１項に記載のエアバッグ装置。
【請求項１３】
前記クッションは、車室内の側部を覆うカーテンエアバッグ用のものであって、
当該エアバッグ装置はさらに、
前記クッションの上縁の所定箇所に上方へ突出するよう設けられ、前記インフレータが挿入されて取り付けられるインフレータ取付部を備え、
前記補強布は、前記インフレータ取付部の内側に設けられることを特徴とする請求項１から１２のいずれか１項に記載のエアバッグ装置。
【国際調査報告】
2016088598.tif 000013
2016088598.tif 000014
2016088598.tif 000015
2016088598.tif 000016